(57)【要約】【課題】ホース内を流れる流体のバッファ層への流出の有無を、長期間に渡って確実に視認することができる流体搬送用ホースを提供する。【解決手段】内面ゴム層２とカバーゴム層４との間に複数層からなる補強層群を配置し、それら補強層群が内外に分離された内側補強層群５、７と外側補強層群９との間にバッファ層８を配置すると共に、そのバッファ層８に導管１５を介して連通する観察窓１１を備えた漏洩検知手段１０をホース軸方向の端部に設置した流体搬送用ホースにおいて、バッファ層８に連通する観察窓１１を覆うように、少なくとも一部に透明部１６ｂを有する保護カバー１６を着脱可能に取り付ける。【選択図】図１
2012233558.tif 000002
【特許請求の範囲】
【請求項１】
内面ゴム層とカバーゴム層との間に複数層からなる補強層群を配置し、該補強層群が内外に分離された内側補強層群と外側補強層群との間にバッファ層を配置すると共に、前記バッファ層に導管を介して連通する観察窓を備えた漏洩検知手段をホース軸方向の端部に設置した流体搬送用ホースにおいて、
前記観察窓を覆うように、少なくとも一部が透明である保護カバーを着脱可能に取り付けたことを特徴とする流体搬送用ホース。
【請求項２】
前記保護カバーと前記観察窓との間に空間部を形成した請求項１に記載の流体搬送用ホース。
【請求項３】
前記空間部に、乾燥剤を配置した、又は透明な液体を充填した請求項２に記載の流体搬送用ホース。
【請求項４】
前記保護カバー及び／又は該保護カバーの透明部を形成する材料が、海洋生物付着防止剤を含有する請求項１〜３のいずれかに記載の流体搬送用ホース。
【請求項５】
前記導管に流体の減圧手段を設けた請求項１〜４のいずれかに記載の流体搬送用ホース。
【発明の詳細な説明】
【技術分野】
【０００１】
本発明は流体搬送用ホースに関し、更に詳しくは、ホース内を流れる流体のバッファ層への流出の有無を、長期に渡り確実に視認することができる流体搬送用ホースに関する。
【背景技術】
【０００２】
マリンホースに代表される流体荷役用の大口径のホースにおいては、高圧で送り出される石油などの流体が、ホース外部へ漏洩して海水汚染の事故を生じないような構造にする必要があるが、万一漏洩が発生した場合には、すみやかに外部へ通報しなければならない。そのため、この種の流体搬送用ホースは、流体に対する耐侵食性を有する内面ゴム層の外側に複数層からなる補強層群を配置し、その補強層群を内外に分離した内側補強層群と外側補強層群との間に、スポンジなどの発泡材からなるバッファ層を設けた内部構造を有すると共に、内面ゴム層及び内側補強層群が破断してバッファ層へ流出する高圧の流体を検知する漏洩検知手段をホース端部付近に備えている。
【０００３】
この漏洩検知手段として、例えば特許文献１は、バッファ層から導管によりホース端部まで導かれる流体を、透明な樹脂製の観察窓を通じて視認するものを提案している。
【０００４】
しかし、上記のような観察窓を有する漏洩検知手段においては、長期間の使用中に観察窓にムラサキイガイやフジツボなどの海洋生物が付着して、視認が困難になってしまうという問題があった。このように海洋生物が付着した場合には、金属製の棒で叩いて剥離させたり、高圧水で洗浄したりして除去しているが、衝撃で観察窓を破損してしまうおそれがあった。
【先行技術文献】
【特許文献】
【０００５】
【特許文献１】特開２００３−２１５６８号公報
【発明の概要】
【発明が解決しようとする課題】
【０００６】
本発明の目的は、ホース内を流れる流体のバッファ層への流出の有無を、長期に渡り確実に視認することができる流体搬送用ホースを提供することにある。
【課題を解決するための手段】
【０００７】
上記の目的を達成する本発明の流体搬送用ホースは、内面ゴム層とカバーゴム層との間に複数層からなる補強層群を配置し、該補強層群が内外に分離された内側補強層群と外側補強層群との間に、発泡材からなるバッファ層を配置すると共に、前記バッファ層に導管を介して連通する観察窓を備えた漏洩検知手段をホース軸方向の端部に設置した流体搬送用ホースにおいて、前記観察窓を覆うように、少なくとも一部が透明である保護カバーを着脱可能に取り付けたことを特徴とするものである。
【発明の効果】
【０００８】
本発明の流体搬送用ホースによれば、バッファ層に連通する観察窓を覆うように、少なくとも一部が透明である保護カバーを着脱可能に取り付けたので、観察窓に海洋生物が直接に付着するのを防止することができると共に、保護カバーに海洋生物が付着した場合でも、観察窓に損傷を与えることなく、外部から衝撃を加えて海洋生物を除去することができる。また、その衝撃により保護カバーが損傷しても、容易に交換することができる。そのため、ホース内を流れる流体のバッファ層への流出の有無を、長期に渡り確実に視認することができる。
【０００９】
保護カバーと観察窓との間に空間部を形成することにより、保護カバーに加わる衝撃が観察窓に伝播するのを緩和することができる。
【００１０】
また、その空間部に乾燥剤を配置する、あるいは透明な流体を充填することで、結露による保護カバーの透明部の曇りを防止することができる。
【００１１】
保護カバー及び／又はその保護カバーの透明部を形成する材料に、海洋生物付着防止剤を含有させることにより、海洋生物を付着しにくくすることができるとともに、ホース内を流れる流体のバッファ層への流出の有無を、更に長期に渡り確実に視認することができる。
【００１２】
バッファ層と観察窓とを連通する導管に、流体の減圧手段を介設することで、観察窓の破損を防ぐことができる。
【図面の簡単な説明】
【００１３】
【図１】本発明の実施形態からなる流体搬送用ホースの端部構造を示す一部断面図である。
【図２】漏洩検知手段の構造を示す断面図である。
【図３】減圧手段の構造を示す平面図である。
【図４】図３に示すＸ−Ｘ矢視の断面図である。
【発明を実施するための形態】
【００１４】
以下に、本発明の実施の形態について、図面を参照して説明する。
【００１５】
図１は、本発明の実施形態からなる流体搬送用ホースにおける端部構造を示す。
【００１６】
この流体搬送用ホースは、ホース本体１の端部に内面ゴム層２を介して液密に接続金具３が取り付けられている。ホース本体１の構造は、内面ゴム層２とカバーゴム層４との間に、複数層からなる補強層群を配置することにより構成されている。それら複数の補強層群は、内面ゴム層２側から順に、第１内側カーカス層５、スパイラルワイヤ補強層６、第２内側カーカス層７、バッファ層８、外側カーカス層９を積層したものとなっている。
【００１７】
内面ゴム層２はホース内を流れる流体への耐侵食性に優れた材質から構成されている。また、第１内側カーカス層５は、ホース軸方向にバイアスに配列した有機繊維コードからなる複数の補強層を、層間でコードが互いに交差するように積層して構成されており、それらの層の一部がホース本体１の端部でターンアップされている。第２内側カーカス層７は、ホース軸方向にバイアスに配列した有機繊維コードからなる複数の補強層を、層間でコードが互いに交差するように積層して構成されている。これら内側カーカス層５、７は、ホース本体１に主として軸方向の強度と適度な可撓性を付与している。
【００１８】
スパイラルワイヤ補強層６は、金属ワイヤを所定のピッチで第１内側カーカス層５の外周にスパイラル状に巻回することにより構成され、ホース本体１に主に周方向の強度を付与すると共に、ホース本体１が湾曲したときにキンクが発生するのを防止し、更に外圧によるホース本体１の潰れを防止する。
【００１９】
外側カーカス層９は、内側カーカス層５、７と同様に、ホース軸方向にバイアスに配列した有機繊維コードからなる複数の補強層を、層間でコードが互いに交差するように積層することにより構成されている。
【００２０】
バッファ層８は、主に発泡材から構成され、第２内側カーカス層７と外側カーカス層９との間に配置されている。発泡材には、天然ゴムスポンジやポリエチレンスポンジが好ましく用いられる。このバッファ層８は、内面ゴム層２と内側カーカス層５、７とが破断したとき、発泡材がつぶれることにより漏洩流体の圧力を吸収緩和して、外側カーカス層９に破断が伝搬しないようにするものである。
【００２１】
ホース本体１には、上記の構成部材のほか、外側カーカス層９とカバーゴム層４との間に、ホース本体１に浮力を与える浮力層を設ける場合もある。
【００２２】
このような流体搬送用ホースの端部付近には、流体の漏洩を検知する漏洩検知手段１０が設けられている。図２に示すように、漏洩検知手段１０は、ポリカーボネイトなどの透明な樹脂からなる観察窓１１を上面に有する漏洩検出器１２を、接続金具３の表面に固定された取付口１３に液密に嵌合させることで構成される。この取付口１３は、バッファ層８に埋設されたストレーナー１４と導管１５を通じてバッファ層８に連通している。
【００２３】
内側カーカス層６、７が破断してホース内を流れる流体がバッファ層８に流出すると、ストレーナー１４及び導管１５により取付口１３まで導かれて、その流体が観察窓１１を通じてホース外部から視認されることになる。
【００２４】
なお、漏洩検出器１２の構造は、図２に示すものに限られず、特開２００３−２１５６８号公報に示すように、着色流体や圧壊ディスクなどを利用して観察窓１１からの漏洩流体の視認を容易にすることができる。
【００２５】
本発明は、この観察窓１１を覆うように保護カバー１６を漏洩検出器１２に着脱可能に取り付けるものである。この保護カバー１６は、金属製の筒状体１６ａの一部に、内部を観察可能な樹脂製の透明部１６ｂを設けたものであり、漏洩検出器１２に液密に取り付けられる。なお、筒状体１６ａと透明部１６ｂとの間には、ゴムパッキン等のシール材を配設することが好ましい。
【００２６】
このように保護カバー１６を取り付けることにより、観察窓１１に海洋生物が直接に付着するのを防止することができると共に、保護カバー１６に海洋生物が付着した場合でも、観察窓１１に損傷を与えることなく、外部から衝撃を加えて海洋生物を除去することができる。また、その衝撃により保護カバー１５が損傷しても、容易に交換することができる。そのため、内側カーカス層６、７が破断して流体がバッファ層８に流出した場合には、漏洩検出器１２に流れ込んだ流体を、観察窓１１及び透明部１６ｂを通して、長期に渡り確実に視認することができる。
【００２７】
なお、保護カバー１６への海洋生物の付着が酷く、その除去が非常に困難である場合には、保護カバー１６を取り外してから、観察窓１１を通じて漏洩検出器１２に流れ込んだ流体を視認するようにしてもよい。
【００２８】
一方、流体搬送用ホースが健全な場合においても、観察窓１１及び透明部１６ｂを通して、漏洩検出器１２に流体が流れ込んでないことを、長期に渡り確実に視認することができる。
【００２９】
保護カバー１６と観察窓１１との間には、空間部１７を設けることが望ましい。そのようにすることで、保護カバー１５に加わる衝撃が観察窓１１に伝播するのを緩和することができる。
【００３０】
また、その空間部１７には、結露による透明部１６ｂの曇り防止のために、あらかじめ乾燥剤を配置しておくか、あるいは透明な流体を充填することが望ましい。透明な流体については、空間部１７を満たすように充填するが、曇り除去のために必要な量だけを充填するようにしてもよい。乾燥剤としてはシリカゲル、例えばＲｏＨＳ（電気電子機器における特定有害物質使用制限）対応のコバルトフリーシリカゲルなどが、透明な流体としては真水などが、それぞれ例示される。
【００３１】
保護カバー１６及び保護カバー１６の透明部１６ｂの少なくと一方を形成する材料には、海洋生物の付着を妨げて、ホース内を流れる流体のバッファ層への流出の有無を、更に長期に渡り確実に視認することができるように、海洋生物付着防止剤を含有させることが望ましい。海洋生物付着防止剤としては、非汚染性であるアミン化合物や脂肪族第４級アンモニウム塩などが例示される。
【００３２】
上記の保護カバー１６を取り付けることにより、漏洩検出器１２への高圧の漏洩流体の流入により、観察窓１１が内側から破損するような場合が発生したとしても、保護カバー１６により流体の外部への流出を防止できるという効果も期待できる。
【００３３】
しかし、そのような観察窓１１の破損を防止するために、漏洩検知手段１０の導管１５の途中に、流体の減圧手段１８を設けることで、取付口１３から漏洩検出器１２に流入する流体の圧力を低下させることが望ましい。
【００３４】
この減圧手段１８の構造は、特に限定するものではないが、例えば図３、４に示すように、導管１５内に設けたオリフィス板１９の貫通孔２０に嵌合する弁体２１を、貫通孔２０の回りに断続的に配置された弾性体２２（この例では等間隔に３カ所）を介して上流側から嵌合させたものがある。バッファ層８に流出した流体により弁体２１が押圧されると、弾性体２２が変形して、オリフィス板１９と弁体２１との隙間が小さくなることで流体の圧力を低減する。
【００３５】
本発明の流体搬送用ホースは、流体荷役用の大口径ホースとして好ましく適用され、特にタンカーと陸部の備蓄タンク等との間で石油を搬送するマリンホースに好適に用いることができる。
【符号の説明】
【００３６】
１  ホース本体
２  内面ゴム層
３  接続金具
４  カバーゴム層
５  第１内側カーカス層
６  スパイラルワイヤ補強層
７  第２内側カーカス層
８  バッファ層
９  外側カーカス層
１０  漏洩検知手段
１１  観察窓
１２  漏洩検出器
１３  取付口
１４  ストレーナー
１５  導管
１６  保護カバー
１７  空間部
１８  減圧手段
１９  オリフィス板
２０  貫通孔
２１  弁体
２２  弾性体
【図１】
2012233558.tif 000003
【図２】
2012233558.tif 000004
【図３】
2012233558.tif 000005
【図４】
2012233558.tif 000006
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
内面ゴム層とカバーゴム層との間に複数層からなる補強層群を配置し、該補強層群が内外に分離された内側補強層群と外側補強層群との間にバッファ層を配置すると共に、前記バッファ層に導管を介して連通する取付口をホース軸方向の端部に設け、前記取付口に透明な樹脂からなる観察窓を備えた漏洩検知手段を設置した流体搬送用ホースにおいて、
前記観察窓を覆うように、少なくとも一部が透明である保護カバーを着脱可能に取り付け、前記保護カバーと前記観察窓との間に空間部を形成したことを特徴とする流体搬送用ホース。
【請求項２】
前記保護カバーを前記観察窓に沿って配置される樹脂製の透明部と該透明部に取り付けられた金属製の筒状体とから構成した請求項１に記載の流体搬送用ホース。
【請求項３】
前記空間部に、乾燥剤を配置した、又は透明な液体を充填した請求項２に記載の流体搬送用ホース。
【請求項４】
前記保護カバー及び／又は該保護カバーの透明部を形成する材料が、海洋生物付着防止剤を含有する請求項１〜３のいずれかに記載の流体搬送用ホース。
【請求項５】
前記導管に流体の減圧手段を設けた請求項１〜４のいずれかに記載の流体搬送用ホース。
【手続補正２】
【補正対象書類名】明細書
【補正対象項目名】０００７
【補正方法】変更
【補正の内容】
【０００７】
上記目的を達成する本発明の流体搬送用ホースは、内面ゴム層とカバーゴム層との間に複数層からなる補強層群を配置し、該補強層群が内外に分離された内側補強層群と外側補強層群との間にバッファ層を配置すると共に、前記バッファ層に導管を介して連通する取付口をホース軸方向の端部に設け、前記取付口に透明な樹脂からなる観察窓を備えた漏洩検知手段を設置した流体搬送用ホースにおいて、前記観察窓を覆うように、少なくとも一部が透明である保護カバーを着脱可能に取り付け、前記保護カバーと前記観察窓との間に空間部を形成したことを特徴とするものである。
【手続補正３】
【補正対象書類名】明細書
【補正対象項目名】０００８
【補正方法】変更
【補正の内容】
【０００８】
本発明の流体搬送用ホースによれば、バッファ層に連通する取付口に設置された漏洩検知手段の観察窓を覆うように、少なくとも一部が透明である保護カバーを着脱可能に取り付けたので、観察窓に海洋生物が直接に付着するのを防止することができると共に、保護カバーに海洋生物が付着した場合でも、観察窓に損傷を与えることなく、外部から衝撃を加えて海洋生物を除去することができる。また、その衝撃により保護カバーが損傷しても、容易に交換することができる。そのため、ホース内を流れる流体のバッファ層への流出の有無を、長期に渡り確実に視認することができる。
【手続補正４】
【補正対象書類名】明細書
【補正対象項目名】００２６
【補正方法】変更
【補正の内容】
【００２６】
このように保護カバー１６を取り付けることにより、観察窓１１に海洋生物が直接に付着するのを防止することができると共に、保護カバー１６に海洋生物が付着した場合でも、観察窓１１に損傷を与えることなく、外部から衝撃を加えて海洋生物を除去することができる。また、その衝撃により保護カバー１６が損傷しても、容易に交換することができる。そのため、内側カーカス層６、７が破断して流体がバッファ層８に流出した場合には、漏洩検知器１２に流れ込んだ流体を、観察窓１１及び透明部１６ｂを通して、長期に渡り確実に視認することができる。
【手続補正５】
【補正対象書類名】明細書
【補正対象項目名】００２９
【補正方法】変更
【補正の内容】
【００２９】
保護カバー１６と観察窓１１との間には、空間部１７を設けることが望ましい。そのようにすることで、保護カバー１６に加わる衝撃が観察窓１１に伝播するのを緩和することができる。
【手続補正６】
【補正対象書類名】明細書
【補正対象項目名】００３１
【補正方法】変更
【補正の内容】
【００３１】
保護カバー１６及び保護カバー１６の透明部１６ｂの少なくとも一方を形成する材料には、海洋生物の付着を妨げて、ホース内を流れる流体のバッファ層への流出の有無を、更に長期に渡り確実に視認することができるように、海洋生物付着防止剤を含有させることが望ましい。海洋生物付着防止剤としては、非汚染性であるアミン化合物や脂肪族第４級アンモニウム塩などが例示される。
【手続補正７】
【補正対象書類名】図面
【補正対象項目名】図３
【補正方法】変更
【補正の内容】
【図３】
2012233558.tif 000007